(57)【要約】      （修正有）【課題】鉄骨造建物の外壁を現場打ちの鉄筋コンクリート造外壁として構築する場合の外壁構造を提供する。【解決手段】建物の鉄筋コンクリート造外壁構造は、建物の外壁を現場打ちの鉄筋コンクリート造外壁１として構築する外壁構造において、上階の鉄筋コンクリート造床スラブ２が外周梁３の位置よりも外方へ張り出した位置から下方へ下階の現場打ち鉄筋コンクリート造外壁１が吊り下げ状態に構築され、下階の鉄筋コンクリート造外壁１は、同下階の鉄筋コンクリート造床スラブ２’の外周端面との間に鉛直方向のスリット４を形成して縁切りされている。【選択図】図２
2010116694.tif 000002
【特許請求の範囲】
【請求項１】
建物の外壁を現場打ちの鉄筋コンクリート造外壁として構築する外壁構造において、
上階の鉄筋コンクリート造床スラブが外周梁の位置よりも外方へ張り出した位置から下方へ下階の現場打ち鉄筋コンクリート造外壁が吊り下げ状態に構築され、
前記下階の鉄筋コンクリート造外壁は、同下階の鉄筋コンクリート造床スラブの外周端面との間に鉛直方向のスリットを形成して縁切りされている構成を特徴とする、建物の鉄筋コンクリート造外壁構造。
【請求項２】
鉄骨造建物の外壁を現場打ちの鉄筋コンクリート造外壁として構築する外壁構造において、
上階の鉄筋コンクリート造床スラブが外周鉄骨梁の位置よりも外方へ張り出した位置から下方へ下階の現場打ち鉄筋コンクリート造外壁が吊り下げ状態に構築され、
前記下階の鉄筋コンクリート造外壁は、同下階の鉄筋コンクリート造床スラブの外周端面との間に鉛直方向のスリットを形成して縁切りされている構成を特徴とする、鉄骨造建物の鉄筋コンクリート造外壁構造。
【請求項３】
上階の鉄筋コンクリート造床スラブが外周梁の位置よりも外方へ張り出した位置から下方へ吊り下げられた下階の現場打ち鉄筋コンクリート造外壁と、同下階の鉄筋コンクリート造床スラブの外周端面とは、両者の間に形成された鉛直方向のスリットを貫通するアンカー鉄筋で連結され、更に前記鉛直方向スリットは充填物で塞がれている構成を特徴とする、請求項１又は２に記載した建物の鉄筋コンクリート造外壁構造。
【発明の詳細な説明】
【技術分野】
【０００１】
この発明は、主には鉄骨造建物の外壁を現場打ちの鉄筋コンクリート造外壁（以下、ＲＣ造外壁と略す場合がある。）として構築する場合の外壁構造の技術分野に属する。
【背景技術】
【０００２】
鉄骨造建物を構築する場合の外周壁は、開口部をガラス壁として施工し、非開口部の多くはカーテンウオール壁やＡＬＣ版等の乾式壁として施工するのが一般的である。
それというのも、鉄骨造建物は比較的に剛性の低い構造であり、外壁に相当な変形追従性能を要求する。したがって、外壁を剛性が高い現場打ち鉄筋コンクリート造外壁として構築すると、水平荷重時にＲＣ造外壁に応力の集中を生じたり、建物の剛性に偏心が生じるという問題の解決に迫られるからである。また、現場打ちＲＣ造外壁を、応力集中を生じないように鉄骨構造体と縁切りして構築すると、漏水を発生する可能性がある。このような理由で鉄骨造建物の外壁を現場打ちＲＣ造外壁として構築することは困難と考えられてきた。
一方、鉄骨造建物の外壁をカーテンウオール壁として施工する場合には、外壁に水平目地及び鉛直目地が発生することを避けがたく、意匠性を損なうという問題点が指摘されている。更に、カーテンウオール外壁を施工する場合には、作業現場にカーテンウオール壁施工用揚重機類の据え付けスペース、および搬送車などが待機するスペースを確保しなければならない、という問題もあり、解決が望まれている。
【０００３】
因みに先行技術として、下記の特許文献１に開示されたカーテンウオール構造は、鉄骨梁上に現場打ちＲＣ造床スラブを施工し、外壁をプレキャストコンクリート版などの既成部材で施工する場合に、前記現場打ちＲＣ造床スラブを施工する型枠の外周部を薄鉄板によるコンクリート止め板で構成し、打設したコンクリートの硬化後に、前記のコンクリート止め板を曲げ変形させて外壁内面へ接する構成とし、同止め板上に弾性材又は貧調合モルタル等を充填し、もって現場打ちＲＣ造床スラブとプレキャストコンクリート外壁版との縁を切り、鉄骨構造の変形を吸収可能な外壁構造としている。
但し、鉄骨梁へファスナーにより取り付けたプレキャストコンクリート外壁版は、図１〜図４にそれぞれ記載されているように、水平目地（および図示されない鉛直目地）を形成するから、雨水による漏水を生ずる可能性がある。そして、前記目地の存在は建物外観の意匠性を損なうことを避けられない。
【０００４】
下記の特許文献２に開示された鉄筋コンクリート造外壁の施工方法は、鉄筋コンクリート造外壁を非耐力壁として施工するため、ＲＣ造外壁は上階梁又は下階梁のいずれか一方にのみ接続し、他方の辺は梁とスリットで絶縁し、更に両側辺にも柱と絶縁（縁切り）するスリットを形成し、前記の各スリットは充填材で塞いだ構成としている。したがって、建物の外観に鉛直目地および水平目地が出現することは避けられず、同目地の存在が建物外観の意匠性を損なう。
更に特許文献３には、鉄骨造建物に在来の現場打ちＲＣ造外壁を施工する場合の取り付け構造が開示されている。即ち、現場打ちＲＣ造外壁の上部（上辺部）は鉄骨躯体へ水平変位が可能に連結し、下端部は鉄骨躯体の基礎へ固定する（請求項１）か、又は現場打ちＲＣ造外壁の上部（上辺部）を鉄骨躯体へ吊り下げて固定し、その下部は鉄骨躯体に対して水平変位が可能に連結した（請求項２）取付構造が開示されている。但し、特許文献３に開示された鉄骨造建物に在来の現場打ちＲＣ造外壁を施工する場合の取り付け構造は、鉄骨造建物の１階部分での取付構造でしかないことが明らかである（同公報の段落番号０００１、００１１、００１２）。
【０００５】
【特許文献１】特公平６−５４０３４号公報
【特許文献２】特開平７−９０９６１号公報
【特許文献３】特開２００５−２２０６０７号公報
【発明の開示】
【発明が解決しようとする課題】
【０００６】
上記の特許文献１〜３に見る通り、鉄骨造建物は外壁に相当な変形追従性能を要求し、一方、ＲＣ造外壁は剛性が高いという性質上の不一致を整合させるために、これまでにも種々な提案がなされ実施されている。しかし、未だ十分な解決を見るに至っていない。
即ち、特許文献１に開示されたカーテンウオール外壁構造は、目地の発生を避けられず漏水のおそれがあるし、目地の存在が建物外観の意匠性を損なうことは上述したとおりである。その上、カーテンウオール外壁を施工するためには、規格化されたプレキャストコンクリート板、ＡＬＣ板、押出成形セメント板、金属系壁板などのカーテンウオール外壁を取り付けるための作業足場を仮設し、揚重機を設置し、現場に搬入されたカーテンウオールを地上から吊り込む作業に必要な作業スペースの確保が不可欠であり、これらの条件が整わないかぎり、実施の可能性はないのである。
【０００７】
その点、特許文献２、３のように現場打ちＲＣ造外壁を施工するときは、現地に作業スペースを確保するという問題はない。しかし、特許文献２のようにＲＣ造外壁を上階梁又は下階梁とスリットで絶縁し、更に両側辺も柱とスリットで絶縁して、各スリットを充填材で塞いだ構成とするのでは、目地が建物外観の意匠性を損なうという問題の解決にはならない。
また、特許文献３に開示されたように、現場打ちＲＣ造外壁の上部（上辺部）を鉄骨躯体へ水平変位が可能に連結し、又は下部を鉄骨躯体に対して水平変位が可能に連結し、それらの反対側を固定する外壁取付構造も一案ではあるが、所詮鉄骨造建物の１階部分での現場打ちＲＣ造外壁取付構造でしかないので、鉄骨造建物に必要なＲＣ造外壁構造として自由な設計・施工の期待にはほど遠い内容と云わねばならない。
【０００８】
本発明の目的は、主には鉄骨造建物の外壁を、場合によっては鉄筋コンクリート造建物や鉄骨鉄筋コンクリート造建物の外壁を、現場打ちの鉄筋コンクリート造外壁として構築することであり、そのために鉄骨造建物がＲＣ造外壁に要求する変形追従性能を満たして外壁の外観に目地が発生することを回避し、もって建物外観の意匠性の向上を図れて漏水の懸念もない、建物のＲＣ造外壁構造を提供することである。
【課題を解決するための手段】
【０００９】
上述した従来技術の課題を解決するための手段として、請求項１に記載した発明に係る建物の鉄筋コンクリート造外壁構造は、
建物の外壁を現場打ちの鉄筋コンクリート造外壁１として構築する外壁構造において、
上階の鉄筋コンクリート造床スラブ２が外周梁３の位置よりも外方へ張り出した位置から下方へ下階の現場打ち鉄筋コンクリート造外壁１が吊り下げ状態に構築され、
前記下階の鉄筋コンクリート造外壁１は、同下階の鉄筋コンクリート造床スラブ２’の外周端面との間に鉛直方向のスリット４を形成して縁切りされている構成を特徴とする。
【００１０】
請求項２に記載した発明に係る鉄骨造建物の鉄筋コンクリート造外壁構造は、
鉄骨造建物の外壁を現場打ちの鉄筋コンクリート造外壁１として構築する外壁構造において、
上階の鉄筋コンクリート造床スラブ２が外周鉄骨梁３の位置よりも外方へ張り出した位置から下方へ下階の現場打ち鉄筋コンクリート造外壁１が吊り下げ状態に構築され、
前記下階の鉄筋コンクリート造外壁１は、同下階の鉄筋コンクリート造床スラブ２’の外周端面との間に鉛直方向のスリット４を形成して縁切りされている構成を特徴とする。
【００１１】
請求項３記載の発明は、請求項１又は２に記載した建物の鉄筋コンクリート造外壁構造において、
上階の鉄筋コンクリート造床スラブ２が外周梁３の位置よりも外方へ張り出した位置から下方へ吊り下げられた下階の現場打ち鉄筋コンクリート造外壁１と、同下階の鉄筋コンクリート造床スラブ２’の外周端面とは、両者の間に形成された鉛直方向のスリット４を貫通するアンカー鉄筋５で連結され、更に鉛直方向スリット４は充填物６で塞がれている構成を特徴とする。
【発明の効果】
【００１２】
請求項１、２に記載した発明に係る建物のＲＣ造外壁構造は、建物が鉄骨造であると否とに拘わらず、建物の外壁を現場打ち鉄筋コンクリート造外壁１として構築する場合に、上階の鉄筋コンクリート造床スラブ２が外周梁（外周鉄骨梁）３の位置よりも外方へ張り出した位置から下方へ、下階の現場打ち鉄筋コンクリート造外壁１を吊り下げ状態に構築し、この鉄筋コンクリート造外壁１は、下階の鉄筋コンクリート造床スラブ２’の外周端面との間に鉛直方向のスリット４を形成して縁切りをしたから、高剛性のＲＣ造外壁１であっても、鉄骨造建物が外壁に要求する相当な変形追従性能を、前記スリット４による縁切り構造によって必要十分に対応するので、応力集中の問題は発生しない。
そして、前記鉛直方向のスリット４は、上階の鉄筋コンクリート造床スラブ２から吊り下げた鉄筋コンクリート造外壁１と、下階の鉄筋コンクリート造床スラブ２’の外周面との間に鉛直方向に形成したから、建物の外部（外観）へは出現せず、よって建物外観としては目地のない意匠を呈するから良好な美感を与える。
しかもＲＣ造外壁１の背後に隠れた鉛直方向スリット４による縁切り構造であるから、雨水による漏水の懸念も皆無に近い。その上、請求項３記載の発明のように、前記鉛直方向スリット４を、ロックウールなどの弾性充填材、或いは貧配合モルタルなどを充填して塞ぐと、雨水による漏水の懸念は完全に解消できる。  
【００１３】
上記のとおり、本発明の現場打ちＲＣ造外壁１による外壁構造は、鉄骨造建物が外壁に要求する変形追従性能の問題を完全に解決して実施可能であるから、例えば敷地境界線が迫っていたりして、カーテンウオール外壁を施工したくても、現場の作業条件や環境を確保することが困難な場所に建築される建物の外壁構造として容易に実施できる。
更に本発明による現場打ちＲＣ造外壁構造は、上記の構成であるから、必要に応じて建物各階のＲＣ造外壁構造として設計、施工する自由度があり、この意味でも建物の構造および外観デザインの自由度が増し、意匠性の向上にも寄与するのである。
【発明を実施するための最良の形態】
【００１４】
建物の外壁を現場打ちの鉄筋コンクリート造外壁１として構築する外壁構造である。
上階の鉄筋コンクリート造床スラブ２が外周梁３の位置よりも外方へ張り出した位置から下方へ、下階の現場打ち鉄筋コンクリート造外壁１を吊り下げ状態に構築する。
前記下階の現場打ち鉄筋コンクリート造外壁１は、同下階の鉄筋コンクリート造床スラブ２’の外周端面との間に鉛直方向のスリット４を形成して縁切りした構成とする。
【実施例１】
【００１５】
次に、本発明を、図示した実施例に基づいて説明する。
先ず図１は、本発明によるＲＣ造外壁構造が実施された建物の外観を示している。本実施例の建物は鉄骨造であり、建物各階の外周壁部分は、開口部を採光性の良いガラス壁７で構成し、盲壁部分に現場打ちのＲＣ造外壁１が施工された構成を示している。
図１の場合、ＲＣ造外壁１は、建物の一つのコーナー部に集中しており、しかも上下方向には１階置きの配置で複数階にわたり設置された構成を示している。しかし、後述するように、建物外壁の盲壁部分とする部位に必要に応じて現場打ちＲＣ造外壁１を自由に設計、施工することができる。また、建物構造も鉄骨造であることに限らない。必要に応じて、鉄筋コンクリート造や鉄骨鉄筋コンクリート造建物にも同様に実施できる。その意味、内容は以下の説明によって明らかになるであろう。
【００１６】
図２は、上記図１の建物外壁部分におけるII−II線矢視の断面図を示している。
即ち、鉄骨造建物の外壁を現場打ち鉄筋コンクリート造外壁１として構築した外壁構造の実施例を示したもので、上階（Ｎ＋１階）の鉄筋コンクリート造床スラブ２が外周鉄骨梁３の位置よりも外方へ張り出した位置から下方へ、下階（Ｎ階）の鉄筋コンクリート造外壁１が、同下階（Ｎ階）の鉄筋コンクリート造床スラブ２’の高さレベルまで垂直に吊り下げた状態に構築されている。そして、同下階の鉄筋コンクリート造外壁１の下端は、同じ階（Ｎ階）の鉄筋コンクリート造床スラブ２’の外周辺が外周鉄骨梁３の位置よりも外方へ張り出した先端面部との間に、鉛直方向のスリット４を形成して相対峙する構成として構造的に縁切りされている。
【００１７】
当該ＲＣ造外壁１の下端は、同じ階（Ｎ階）の鉄筋コンクリート造床スラブ２’の下面とほぼ同レベルに形成されている。そして、当該ＲＣ造外壁１の下端部は、前記鉄筋コンクリート造床スラブ２’との間を、直角に曲げたアンカー鉄筋５により連結して、構造体としての一体的関係を保持する構成とされている。前記アンカー鉄筋５には外径が１３ｍｍ程度の鉄筋が使用され、ＲＣ造外壁１の下端部に埋設する部分にはゴムチューブ等の縁切り材８を被せてコンクリートとの付着を回避し、ＲＣ造外壁１の変形追従性能を確保する構成とされている。前記アンカー鉄筋５は、ＲＣ造外壁１の平面方向（図２の紙面と垂直な方向）に一例として４０ｃｍ程度のピッチで配筋されている。
【００１８】
更に、ＲＣ造外壁１と、下階のＲＣ造床スラブ２’が形成する上記鉛直方向のスリット４は、例えばロックウールなどの弾性充填材、或いは貧配合モルタルなどＲＣ造外壁１の変形追従性能を阻害しない性質の充填物６で塞がれ、漏水の防止、および機密性の確保が図られている。
したがって、本発明によるＲＣ造外壁１は、鉄骨造建物が要求する外壁の変形追従性能の要求を鉛直方向スリット４の部分における自在性で十分に満たし、応力の集中箇所を発生しない。勿論、鉛直方向スリット４は建物の外観に露出しないから建物外観の意匠性を阻害しない。そして、風雨による漏水の懸念も、鉛直方向スリット４を充填物６で塞いでいるから全く問題ないのである。
【００１９】
本発明によるＲＣ造外壁構造は、上記したように、上下に隣接する二つの鉄筋コンクリート造床スラブ２と２’（Ｎ＋１階とＮ階のスラブ）の間で構成されるから、建物の階層の如何を問わずに自由に実施される。
即ち、図２に示したように、Ｎ＋１階とＮ階のスラブ２と２’の関係に限らず、Ｎ−１階とＮ−２階のＲＣ造スラブ２と２’の間にも全く同様に、上階（Ｎ−１階）の鉄筋コンクリート造床スラブ２が外周鉄骨梁３の位置よりも外方へ張り出した位置から下方へ、下階（Ｎ−２階）の鉄筋コンクリート造外壁１を、同下階（Ｎ−２階）の鉄筋コンクリート造床スラブ２’の高さレベルまで垂直に吊り下げて構築し、同下階（Ｎ−２階）の鉄筋コンクリート造床スラブ２’の外周辺が外周鉄骨梁３の位置よりも外方へ張り出した外周端面との間に、鉛直方向のスリット４を形成して縁切りし相対峙させる構成により、同様に実施することができる。                                                
【００２０】
もとより、ＲＣ造外壁１を設置する階層および外周方向の位置についても、図１、図２に例示した場所に限らない。ＲＣ造外壁１は、鉛直方向には１階置きの配置に設置されるが、同鉛直方向の位置を例えば図１の外周方向（水平方向）へずらすと、図２中のＮ階とＮ−１階にＲＣ造外壁１を設置することが可能である。そして、この鉛直線上には、やはり１階置きの配置にＲＣ造外壁１設置することが可能である。
要するに、本発明のＲＣ造外壁構造は、建物の全階層に、且つ外周方向の任意所望の位置に現場打ちＲＣ造外壁として設置することが可能であり、設計、施工の自由度を有する。
更に、図２は、建物が鉄骨造である場合の実施例を示しているが、この限りではない。建物が鉄筋コンクリート造である場合、又は鉄骨鉄筋コンクリート造である場合でも、同建物が要求する外壁の変形追従性能を満たす目的で、全く同様に実施できるのである。
【００２１】
以上に本発明を図示した実施例に基づいて説明したが、本発明は図示した実施例に限定されない。本発明の目的および要旨を逸脱することなく、いわゆる当業者が必要に応じて行う設計変更や変形、応用のバリエーションにも及ぶものであることを、念のために申し添える。
【図面の簡単な説明】
【００２２】
【図１】本発明によるＲＣ造外壁構造を実施した建物の外観を示す斜視図である。
【図２】図１のII−II線矢視の断面図である。
【符号の説明】
【００２３】
１        現場打ち鉄筋コンクリート造外壁（ＲＣ造外壁）
２、２’  鉄筋コンクリート造床スラブ
３        外周梁（鉄骨梁）
４        鉛直方向のスリット
５        アンカー鉄筋
６        充填物
【図１】
2010116694.tif 000003
【図２】
2010116694.tif 000004